(57)【要約】【課題】障害者等自身で簡単に着脱操作、又は介護者が障害者等に対して簡単に着脱操作でき、構造も極めてシンプルであるエプロンを提供する。【解決手段】展開時に一方向に長い被覆体からなるエプロンであり、装着者の肩から前部側を覆うように垂下する第１の垂下部１２と、第１の垂下部１２に一体的に接続され、装着者の肩から背部側を覆うように垂下した第２の垂下部１４と、第１の垂下部１２と第２の垂下部１４との中間接続部分に設けられ、装着者の頭部を挿入させてエプロン全体を被着させる首孔１６と、装着時に振り分け仕様となるように装着者の肩先から脇の下にかけて開放する開放部１８と、を備えていることを特徴とするエプロン１０から構成される。【選択図】図１
0003154584.tif 000002
【実用新案登録請求の範囲】
【請求項１】
展開時に一方向に長い被覆体からなるエプロンであり、
装着者の肩から前部側を覆うように垂下する第１の垂下部と、
第１の垂下部に一体的に接続され、装着者の肩から背部側を覆うように垂下した第２の垂下部と、
第１の垂下部と第２の垂下部との中間接続部分に設けられ、装着者の頭部を挿入させてエプロン全体を被着させる首孔と、
装着時に振り分け仕様となるように装着者の肩先から脇の下にかけて開放する開放部と、を備えていることを特徴とするエプロン。
【請求項２】
第１の垂下部は少なくとも装着者の腹部より長い長さで形成され、第２の垂下部は第１の垂下部の長さよりも短く形成された請求項１記載のエプロン。
【請求項３】
第１の垂下部の丈と、第２の垂下部の丈と、の長さ比率が２：１程度に設けられた請求項２記載のエプロン。
【請求項４】
第１の垂下部は装着者の膝部近傍まで覆う長さに、第２の垂下部は装着者の腰部近傍まで覆う長さにそれぞれ設定された請求項２又は３記載のエプロン。
【請求項５】
第１の垂下部の下部側には、食事の際に食器の下に敷かれるようにテーブル上に広げられる延長下敷部が設けられた請求項２ないし４のいずれかに記載のエプロン。
【請求項６】
首孔の縁から立ち上がって、装着者の首部を略密着状に覆う首カバー部が設けられた請求項１ないし５のいずれかに記載のエプロン。
【請求項７】
首カバー部は伸縮性素材で形成された請求項６記載のエプロン。
【請求項８】
第１、第２の垂下部は、正面視で略上半部の横幅が略下半部の横幅よりも幅狭く形成された請求項１ないし７のいずれかに記載のエプロン。
【請求項９】
第１の垂下部の下部側を２つ折りにして複数箇所で折り返し部と本体とを着脱自在に接続させ、上方を開口したポケットを構成させる着脱機構が設けられた請求項１ないし８のいずれかに記載のエプロン。
【請求項１０】
第１の垂下部及び／又は第２の垂下部には、装着操作の際に手を引っ掛けるための環状部が設けられた請求項１ないし９のいずれかに記載のエプロン。
【考案の詳細な説明】
【技術分野】
【０００１】
本考案は、例えば、食事等の際に障害者、高齢者等の肢体不自由者又は子供等が装着するエプロンに関する。
【背景技術】
【０００２】
病気や怪我、或いは高齢により手や腕を自由に扱えない肢体不自由者等は、食事の際に食べ物をこぼしやすいことから、体や着衣が汚れるのを防ぐためにエプロンを装着する場合がある。例えば、特許文献１には食べこぼし防止エプロンが提案されている。特許文献１記載のエプロンは、腕をとおす袖部と、前記袖部に腕を通した状態での体側面部分から体前面部分にかけてを覆うエプロン本体部と、前記エプロン本体部のすそに設けられたすそ反し部と、前記すそ反し部の一部に設けられすそ反し部の中の体前面部分を食卓に係止するための係止部と、を有している。さらに、特許文献１添付図面の図７〜図９に示すように、エプロン本体を体背面部分にボタン６やマジックテープ（登録商標）７、または首回りのヒモ８が設けられており、これらの留め具類を介してエプロンを装着者に装着させるものであった。
【先行技術文献】
【特許文献】
【０００３】
【特許文献１】特開２００５−２９８９８９号公報
【考案の概要】
【考案が解決しようとする課題】
【０００４】
しかしながら、特許文献１のエプロンのように腕を袖に通してエプロン本体を被着し背面側等でボタン等を止める構造では、障害者等自身でボタン等を留めたり、紐を結んだりすることは困難であり１人で装着することは困難であった。さらに、介護者が障害者等にエプロンを装着させる場合でも、ボタン等を留める作業は面倒であるとともに、障害者等が体を動かしたりする場合には装着させにくく、時間がかかったり、適切な装着位置からずれたりする問題があった。さらに、腕を自由に曲げ伸ばしできない病状の障害者等は、腕を袖に通すことができないためエプロンを装着できない場合があった。また、障害者等が食べこぼしたものがテーブル上に落ちる場合も多く、食事後のテーブル拭き掃除等も煩雑な作業となっていた。また、エプロンの首周り部分から食べこぼした物が内部に入ってしまい装着者の着衣等を汚してしまうおそれがあった。
【０００５】
本考案は、上記従来の課題に鑑みてなされたものであり、その一つの目的は、障害者等自身で簡単に着脱操作、又は介護者が障害者等に対して簡単に着脱操作でき、構造も極めてシンプルであるエプロンを提供することにある。さらに、他の目的は、食べこぼした物によりテーブルを汚してしまうのを防止できるエプロンを提供することにある。さらに、他の目的は、エプロン内部に首部から食べこぼした物が入り込むのを防止できるエプロンを提供することにある。
【課題を解決するための手段】
【０００６】
上記課題を解決するために本考案は、展開時に一方向に長い被覆体からなるエプロンであり、装着者Ｍの肩から前部側を覆うように垂下する第１の垂下部１２と、第１の垂下部１２に一体的に接続され、装着者Ｍの肩から背部側を覆うように垂下した第２の垂下部１４と、第１の垂下部１２と第２の垂下部１４との中間接続部分に設けられ、装着者Ｍの頭部を挿入させてエプロン全体を被着させる首孔１６と、装着時に振り分け仕様となるように装着者Ｍの肩先から脇の下にかけて開放する開放部１８と、を備えていることを特徴とするエプロン１０（１０ａ、１０ｂ、１０ｃ）から構成される。
【０００７】
また、第１の垂下部１２は少なくとも装着者Ｍの腹部より長い長さで形成され、第２の垂下部１４は第１の垂下部１２の長さよりも短く形成されたこととしてもよい。
【０００８】
また、第１の垂下部１２の丈Ｌ１と、第２の垂下部１４の丈Ｌ２と、の長さ比率が２：１程度に設けられたこととしてもよい。
【０００９】
また、第１の垂下部１２は装着者Ｍの膝部近傍まで覆う長さに、第２の垂下部は装着者Ｍの腰部近傍まで覆う長さにそれぞれ設定されたこととしてもよい。
【００１０】
また、第１の垂下部１２の下部側は、食事の際に食器Ｄの下に敷かれるようにテーブルＴ上に広げられる延長下敷部２４が設けられたこととしてもよい。
【００１１】
また、首孔１６の縁から立ち上がって、装着者Ｍの首部を略密着状に覆う首カバー部２６が設けられたこととしてもよい。
【００１２】
また、首カバー部２６は伸縮性素材で形成されたこととしてもよい。
【００１３】
また、第１、第２の垂下部は、正面視で略上半部２０の横幅Ｗ１が略下半部２２の横幅Ｗ２よりも幅狭く形成されたこととしてもよい。
【００１４】
また、第１の垂下部１２の下部側を２つ折りにして複数箇所で折り返し部２２２と本体２２１とを着脱自在に接続させ、上方を開口したポケットを構成させる着脱機構３２が設けられたこととしてもよい。
【００１５】
また、第１の垂下部１２及び／又は第２の垂下部１４には、装着操作の際に手を引っ掛けるための環状部２８が設けられたこととしてもよい。環状部２８は、装着者Ｍ自身が１人で装着する際に操作しやすいように設計してもよいし、介護者等が装着者に装着させる際に操作しやすいように設計してもよい。
【考案の効果】
【００１６】
本考案のエプロンによれば、展開時に一方向に長い被覆体からなるエプロンであり、装着者の肩から前部側を覆うように垂下する第１の垂下部と、第１の垂下部に一体的に接続され、装着者の肩から背部側を覆うように垂下した第２の垂下部と、第１の垂下部と第２の垂下部との中間接続部分に設けられ、装着者の頭部を挿入させてエプロン全体を被着させる首孔と、装着時に振り分け仕様となるように装着者の肩先から脇の下にかけて開放する開放部と、を備えていることから、例えば、ボタンを留めたり紐を結んだり等の面倒な作業を行う必要が無く、上方側から覆い被せながら首孔から頭部を挿入又は離脱させるだけで簡単にエプロンの着脱操作を行える。さらに、開放部を介してエプロンの内外に自在に腕を出し入れさせることができるので、腕を袖や孔に通したりする必要がないとともに、腕の位置や動き、又は病状等に左右されずに着脱操作を行える。また、第１の垂下部または第２の垂下部のある程度広い部分を手で持って容易に扱うことができるので、着脱操作性が良い。その結果、例えば、病状の重い障害者等に介護者等がエプロンを着脱させる際に簡単かつ短時間で着脱させることができるとともに、病状の軽い障害者等が自身でエプロンを着脱する場合にも簡単に１人で着脱操作を行える。また、エプロンを装着した状態では、第１の垂下部、第２の垂下部が装着者の前後にある程度の長さで垂下するので、装着者が動いたり、エプロンが食べこぼし等を受けた際等に比較的ずれにくく良好な装着状態を保持できる。さらに、エプロン全体の構造は極めてシンプルで低コストで製造できる。
【００１７】
また、第１の垂下部は少なくとも装着者の腹部より長い長さで形成され、第２の垂下部は第１の垂下部の長さよりも短く形成された構成とすることにより、第１の垂下部が比較的長く形成されるので、食事やその他作業の際等必要な場合に、第１の垂下部の腹部よりも長い部分をテーブル等の上に敷く敷物として機能することができ、テーブルが汚れるのを防止できる。
【００１８】
また、第１の垂下部の丈と、第２の垂下部の丈と、の長さ比率が２：１程度に設けられた構成とすることにより、第１の垂下部の長さを十分に確保できる。さらに、エプロンとして独特な意匠感を生じることができ商品価値の向上に寄与できる。
【００１９】
また、第１の垂下部は装着者の膝部近傍まで覆う長さに、第２の垂下部は装着者の腰部近傍まで覆う長さにそれぞれ設定された構成とすることにより、第１の垂下部の長さを十分に確保できると同時に、テーブル上に広げず膝にかけた場合でも下衣が汚れるのを防止できる。さらに、エプロンを装着した際にずれにくい。また、第２の垂下部を装着者の前部側を覆うように反転して装着した際にも装着者の胸部を覆うことができるのでエプロンとして実用的に機能させることができ、必要に応じて前後の向きを反転させて装着態様を変化させながら利用できる。
【００２０】
また、第１の垂下部の下部側には、食事の際に食器の下に敷かれるようにテーブル上に広げられる延長下敷部が設けられた構成とすることにより、エプロンの一部を食器の下に敷く敷物として機能させることができ、食べこぼした物が直接テーブル上に触れず、テーブルが汚れるのを防止できる。同時に、装着者とテーブルとの間から食べこぼした物が床に落下するのを防止できる。
【００２１】
また、首孔の縁から立ち上がって、装着者の首部を略密着状に覆う首カバー部が設けられた構成とすることにより、首カバー部により装着者の首部と首孔との間の隙間を塞ぎ、首孔からエプロン内部に食べ物が入り込むのを確実に防止できる。また、エプロンとして独特な意匠感を生じることができ、商品価値の向上に寄与できる。
【００２２】
また、首カバー部は伸縮性素材で形成された構成とすることにより、エプロンを着脱する際には首カバー部が伸縮するので、頭部を通しやすくスムーズに着脱することができる。
【００２３】
また、第１、第２の垂下部は、正面視で略上半部の横幅が略下半部の横幅よりも幅狭く形成された構成とすることにより、装着時にエプロンの肩部分がぶかぶかになるのを防止でき、フィット感や見栄えがよい。さらに、エプロンを装着した状態でもジャケット等の上着を着ることができる。
【００２４】
また、第１の垂下部の下部側を２つ折りにして複数箇所で折り返し部と本体とを着脱自在に接続させ、上方を開口したポケットを構成させる着脱機構が設けられた構成とすることにより、必要に応じてエプロンの前面側にポケットを形成して、所持品等を収納したり、食べこぼした物を捕捉したりすることができ、使い勝手を向上できる。ポケットが不要な際には折り返し部を展開して使用できる。
【００２５】
また、第１の垂下部及び／又は第２の垂下部には、装着操作の際に手を引っ掛けるための環状部が設けられた構成とすることにより、例えば、介護者等が障害者等にエプロンを着脱させる際や、障害者等が１人で装着する際に、環状部を手で握って操作できるので操作性を向上できる。
【図面の簡単な説明】
【００２６】
【図１】本考案の第１の実施形態に係るエプロンの斜視図である。
【図２】図１のエプロンの正面図である。
【図３】図１のエプロンの背面図である。
【図４】図１のエプロンの側面図である。
【図５】図１のエプロンを装着する際の概略説明図である。
【図６】図１のエプロンを装着した状態の概略説明図である。
【図７】図のエプロンを装着して食事をする際の作用説明図である。
【図８】本考案の第２の実施形態に係るエプロンの斜視図である。
【図９】本考案の第３の実施形態に係るエプロンの背面側から見た斜視図である。
【図１０】本考案の第４の実施形態に係るエプロンの正面図である。
【考案を実施するための形態】
【００２７】
以下、添付図面を参照しつつ本考案のエプロンの実施の形態について説明する。本考案のエプロンは、例えば、障害者や高齢者等の肢体不自由者、又は子供等が食事をする際等に装着して、食べこぼし等により体や着衣等が汚れるのを防止するものである。図１ないし図７は、本考案に係るエプロンの第１の実施形態を示している。図１、図２、図３に示すように、本実施形態において、エプロン１０は、展開時に一方向に長い長布等で形成された被覆体からなるエプロンであり、第１の垂下部１２と、第１の垂下部１２に接続された第２の垂下部１４と、首孔１６と、開放部１８と、を備えている。
【００２８】
第１の垂下部１２は、装着者の肩から前部側を覆うように垂下した前部側被覆部分である。第１の垂下部１２は、例えば、ポリエステル系やナイロン等の化学繊維からなる薄布で形成されている。なお、第１の垂下部１２の素材は、例えば、天然素材や、撥水、防水加工したもの、複数の素材をラミネートした構造等、不織布その他任意の素材でもよい。図１、図２、図６に示すように、第１の垂下部１２は、全体的に縦長に形成されている。具体的には、横幅は、例えば、肩口側から下方に装着者Ｍの胴部幅と略同じかやや大きい程度の一定の幅Ｗ１で形成され、縦方向の中間位置で若干（幅Ｇ分）左右に拡大されつつその下方側は一定の幅Ｗ２で形成されている。一方、縦方向の長さ（丈）Ｌ１は、例えば、装着者の肩から膝部近傍までを覆う長さで設けられている。すなわち、第１の垂下部１２の略上半部２０が肩から胸部、腹部近傍までを面状に覆うようになっており、略下半部２２が腹部近傍から膝部近傍までを面状に覆うようになっている。同時に、略上半部２０の横幅Ｗ１は略下半部２２の横幅Ｗ２よりも左右両側から幅Ｇずつ幅狭く形成されている。略下半部２２は、図７に示すように、例えば、エプロンを装着した状態でテーブルＴ上に広げて敷くことができる延長下敷部２４を構成する。延長下敷部２４は、食事の際に食器Ｄの下に敷かれて敷物として機能させることができ、食べこぼしＳによりテーブルＴが汚れるのを防止できる。さらに、第１の垂下部１２は、装着者の前面を覆っている略上半部２０とテーブル上に広げた延長下敷部２４（略下半部２２）とが連続しているので、食べこぼした物ＳがテーブルＴと装着者Ｍとの間から床に落下して床を汚すのを防止できる。図２にも示すように、延長下敷部２４の左右の縁は平行状に直線的に形成されている。よって、延長下敷部２４をテーブルＴ上に広げた際には該延長下敷部が隣の人の邪魔にならないようになっている。
【００２９】
第２の垂下部１４は、装着者Ｍの肩から背部側を覆うように垂下する後部側被覆部分である。図１、図４に示すように、第２の垂下部１４は、第１の垂下部１２に対して装着者の左右肩部側でのみ縫着等により接続されて一体化されている。よって、第１の垂下部１２と第２の垂下部１４とはそれぞれの下端側を自由端として肩側から前後に垂下されて展開自在になっているとともに、展開時の長手方向に向けて第１の垂下部１２と第２の垂下部１４とが直列状に配置されるようになっている。これらの第１の垂下部１２と第２の垂下部１４との一体的な接続被覆体がエプロン本体を構成する。第２の垂下部１４は、第１の垂下部１２と同様の素材で、例えば、ポリエステル系やナイロン等の化学繊維からなる薄布で形成されている。図３にも示すように、第２の垂下部１４は、例えば、横幅と縦幅とが略同じ長さに形成されて隅丸四角形状に垂下されている。第２の垂下部１４の横幅については、第１の垂下部１２の略上半部２０の横幅と略同じ程度Ｗ１で設けられている。一方、縦方向の長さ（丈）Ｌ２は肩から腰部近傍までを覆う長さに設定され（図６参照）、第１の垂下部１２に対しておよそ半分程度の長さとなっている。すなわち、本実施形態では、第１の垂下部１２の丈Ｌ１と、第２の垂下部１４の丈Ｌ２と、の長さ比率が約２：１になっている。なお、第１の垂下部１２の丈Ｌ１と第２の垂下部１４の丈Ｌ２との長さ比率は厳密に２：１でなくてもよく、例えば、第１の垂下部１２の丈Ｌ１と第２の垂下部１４の丈Ｌ２との長さ比率が１．５：１〜２．５：１程度の範囲内で設定してもよい。
【００３０】
図１、図４、図６に示すように、上述のように第１の垂下部１２と第２の垂下部１４とが肩側でのみ接続されており、本実施形態では、装着時に装着者Ｍの肩部から前後に振り分け仕様となるように該第１の垂下部１２と第２の垂下部１４との間を開放する開放部１８が構成されている。開放部１８は、第１の垂下部１２と第２の垂下部１４との間の左右側方を肩先から脇の下方まで体側に沿って連続的に全て開放している。また、第１の垂下部１２と第２の垂下部１４とは装着者への装着状態でほぼ逆Ｊ字状に構成されているといえる。さらに、本実施形態では、第１の垂下部１２と第２の垂下部１４との間の左右側方側において、それらを連結する紐やベルト、ボタン、ホック等の留め具等は一切設けられておらず、常時開放状態となっている。このような開放部１８を備えるので、装着者は自在に腕を第１の垂下部１２と第２の垂下部１４との間から内外に出し入れでき、エプロンの装着操作を行ないやすいとともに、腕を曲げ伸ばし等できない障害者等であっても円滑に装着することができる。なお、本実施形態では留め具等を設けない構成としたが、例えば、開放部１８により開放している左右両側において、第１の垂下部１２と第２の垂下部１４とを任意の接続部材等を介して着脱自在に接続できるようにしてもよい。接続部材としては、例えば、第２の垂下部１４の下端側にフック部材を取付け、第１の垂下部１２の中間位置にフック部材を受けるフック受部を形成した構造等その他任意の構成でもよい。この場合、エプロンの着脱操作を行なう際にはフック等の接続部材を外してスムーズな着脱操作を行えるとともに、装着した状態では接続部材を接続することで、風が吹いたりしても第１、第２の垂下部どうしが離れず、装着状態を良好に保持できる。
【００３１】
図１に示すように、第１の垂下部１２と第２の垂下部１４とが接続されている左右中間部分には首孔１６が設けられている。首穴１６は、装着者の頭部を挿入させてエプロン全体を被着させる貫通孔であり、装着した状態で首部が通される。本実施形態では、首孔１６には、装着者の首部を略密着状に覆う首カバー部２６が設けられている。
【００３２】
首カバー部２６は、伸縮性素材、例えば、リブ編み又はメリヤス編み、テレコ編み、鹿の子編み等のいずれかの編み方或いはその他伸縮性のある編み方で編んだ薄布からなる。首カバー部２６は、例えば、首孔１６の縁から略丸筒状に上方に立ち上がって、装着者Ｍの首部の略全体を覆うように高く形成されている。そしてエプロンを装着した状態では、装着者Ｍの首部に略密着するので首部と首孔１６との間の隙間を塞ぎ、首孔１６からエプロン内部に食べ物が入り込むのを防止できる。エプロンを着脱する際には、首カバー部２６は伸縮するので、頭部を通しやすくスムーズに着脱することができる。なお、首カバー部２６は、例えば、防水性及び／又は透湿性のあるビニル樹脂等の合成樹脂製の素材や天然素材等その他任意の素材で形成してもよい。
【００３３】
図５に示すように、例えば、介護者（図示せず）が障害者等（Ｍ）にエプロン１０を着用させる場合には、エプロン１０を装着者の上方側から覆い被せながら首孔１６から頭部を挿入させるだけで装着できる。この際、第１の垂下部１２と第２の垂下部１４と自在に展開できるとともに、ある程度広い部分を手で持って扱えるので、確実にかつスムーズに装着操作を行なうことができる。さらに、腕を孔や袖に通したり、ボタン等を留めたり、紐を結んだり等の煩雑な作業を行う必要が一切ないとともに、開放部１８を介して腕を自在にエプロン内外に出し入れできるので、障害者等が動いたり腕を曲げ伸ばしできない病状等であっても簡単かつ短時間で確実にエプロンの装着操作を行なうことができる。また、病状の軽い障害者等が自身でエプロンを装着する際も比較的簡単に装着できる。そして、図６に示すように、エプロンを装着した状態では、第１の垂下部１２、第２の垂下部１４が装着者の前後にある程度の長さで垂下するので、単に紐等で首周りのみに係止させる構造に比べてずれにくく、良好な装着状態を保持できる。また、第１の垂下部の略上半部の横幅は略下半部の横幅よりも幅狭く形成されているので、エプロンの特に肩部周りの部分が大きくなりすぎず違和感が少ないとともに、エプロンを装着した状態でジャケット等を羽織ることができる。図７に示すように、食事する際には、第１の垂下部１２の延長下敷部２４をテーブルＴの上に広げて食器Ｄの下に敷く敷物として兼用させることができる。これにより、食べこぼした物Ｓでテーブルが汚れるのを防止できると同時に、装着者とテーブルとの間から食べこぼした物が床に落下して床を汚すのを防止できる。さらに、首カバー部２６により食べこぼした物が首孔１６からエプロン内部に入り込むのを確実に防止できる。なお、延長下敷部２４をテーブルＴの上に広げずに膝に掛けて使用しても良い。この際、第１の垂下部１２の丈Ｌ１は膝部近傍まで覆う長さなので、食べこぼした物でズボンやスカート等の下衣が汚れるのを防止できる。基本的には、上述のように第１の垂下部１２を装着者の前面側にした状態で着用されるが、必要に応じて前後を反転し第２の垂下部１４を前面側として着用して使用することもできる。食事の後には、エプロン１０を首孔１６から頭部を離脱させるだけで簡単にエプロンを取り外すことができる。使用後にはエプロンを洗濯して再び利用することができる。なお、エプロンは、障害者や高齢者等の肢体不自由者等に限らず、子供又は一般成人、健常者等誰でも装着して利用してもよい。また、利用場面は食事に限らず、様々な作業等の際に着用することとしてもよい。エプロンは、体格等に応じて種々のサイズや形状で製造される。
【００３４】
また、第１の垂下部１２と第２の垂下部１４は、例えば、一枚の薄布材を中間位置から２つ折りして構成してもよい。また、第１の垂下部１２は、肩から膝近傍まで同じ幅で形成されていてもよい。また、第１の垂下部１２の丈と第２の垂下部１４の丈とは同じ長さに形成してもよく、上記実施形態とは逆に第２の垂下部１４の丈を第１の垂下部より長く形成してもよい。また、第１の垂下部１２又は第２の垂下部１４のいずれか又は両方に、通気性のよいメッシュ部を形成し、あるいは、透湿性の良い素材を用いてもよい。また、第１の垂下部１２及び第２の垂下部１４は、上記した素材に限らず、エプロンとして体を被覆保護できるような任意の素材で形成してもよく、その素材の厚みも任意の厚さで形成してよい。
【００３５】
次に、図８を参照しつつ本考案に係るエプロンの第２の実施形態について説明する。第１の実施形態と同一構成については同一符号を付し、その詳細な説明を省略する。図８に示すように、本実施形態に係るエプロン１０ａは、第１実施形態と略同じ構成であるが、首カバー部２６が設けられていない点で異なっている。本実施形態では、首カバー部による食べこぼした物をエプロン内部へ侵入を防止する機能はないが、第１実施形態と同様に、着脱操作を行ないやすい、装着状態でずれにくい、食器の下に敷いてテーブル等を保護できる等の作用効果を奏することができる。さらに、第１実施形態のものと比べて部材点数が少ないとともに製造工程も少なくてすみ、低コストで製造することができる。
【００３６】
次に、図９を参照しつつ、本考案に係るエプロンの第３の実施形態について説明する。第１の実施形態と同一構成については同一符号を付し、その詳細な説明を省略する。図９に示すように、本実施形態に係るエプロン１０ｂでは、第１の実施形態と略同じ構成であるが、第２の垂下部１４の下方側に手を引っ掛けるための環状部２８が設けられている点が異なっている。本実施形態では、環状部２８は、例えば、第２の垂下部１４の裾の左右両側に配置される２個１対の紐状部材３０からなり、該紐状部材の両端が第２の垂下部１４の裾に縫い付けられている。本実施形態においても、第１実施形態と同様に、着脱操作を行ないやすい、装着状態でずれにくい、延長下敷部を食器の下に敷いてテーブル等を保護できる等の作用効果を奏することができる。加えて、環状部２８を設けたことにより、例えば、介護者が障害者等にエプロン１０ｂを装着させる際に該環状部２８に手を引っ掛けて、確実に把持して着脱操作を行なうことができ、操作性を向上できる。なお、環状部２８は、第２の垂下部１４を構成する薄布地の一部を切り抜いて形成してもよい。また、環状部２８は２個に限らず１個又は３個以上の複数個設けてもよく、設ける位置も任意の位置でもよい。また、第１の垂下部１２のみに環状部２８を設けても良いし、第１の垂下部１２と第２の垂下部１４の両方に環状部２８を設けても良い。また、環状部２８は、障害者等自身が１人で装着する際に手を掛けて操作しやすいような構成で設けることとしてもよい。例えば、第２の垂下部１４の下部側の被覆面上にベルトや帯状部材を斜めに角度をつけて取り付けて環状部２８を形成してもよい。環状部の取付位置や角度は、装着者自身が操作しやすいような位置、角度で適宜設計変更されるとよい。
【００３７】
次に、図１０を参照しつつ、本考案に係るエプロンの第４の実施形態について説明する。第１の実施形態と同一構成については同一符号を付し、その詳細な説明を省略する。図１０に示すように、本実施形態に係るエプロン１０ｃでは、第１の実施形態と略同じ構成であるが、第１の垂下部１２の略下半部２２を上下に２つ折りして折り返し部２２２と本体２２１とを接続させてポケットを構成させるための着脱機構３２が設けられた点が異なっている。本実施形態では、例えば、第１の垂下部１２の略下半部２２は、図１０上に示す横向きの一点鎖線を折り線Ｖとして上下に２つ折りされるようになっており、下端側の折り返し部２２２が本体２２１に重ねられる。着脱機構３２は、例えば、折り返し部２２２側に設けられた雄スナップボタン３４と、本体２２１側に設けられた雌スナップボタン３５と、を含み、雄スナップボタン３４と雌スナップボタン３５とは折り線Ｖを挟んで対向して略下半部２２の左右両縁側に複数対配置されている。雌雄スナップボタン３４、３５により、重ねられた折り返し部２２２と本体２２１とを左右両縁側の複数箇所で着脱自在に接続することにより、下方と左右両辺の３辺を閉鎖しつつ上方側を開口したポケットが構成される。本実施形態においても、第１実施形態と同様に、着脱操作を行ないやすい、装着状態でずれにくい、延長下敷部を食器の下に敷いてテーブル等を保護できる等の作用効果を奏することができる。加えて、着脱機構３２が設けられたことにより、必要に応じてポケットを構成して、所持品等を収納したり、食べこぼし物の捕捉ポケット等として利用できる。また、ポケットが不要な場合には、雌雄スナップボタン３４、３５の接続を解除させて自在に略下半部を展開することができる。なお、着脱機構は、スナップボタンに限らず、掛けボタン、線ファスナ、面ファスナ等その他任意の構造でもよい。
【００３８】
以上説明した本考案のエプロンは、上記した実施形態のみの構成に限定されるものではなく、実用新案登録請求の範囲に記載した本考案の本質を逸脱しない範囲において、任意の改変を行ってもよい。
【産業上の利用可能性】
【００３９】
本考案のエプロンは、例えば、食事の際、又はその他様々な作業の際に着用して装着者の体や着衣等を保護することができる。また、エプロンは、障害者、高齢者や肢体不自由者等或いは子供に限らず、一般成人、健常者等誰でも装着して利用することができる。
【符号の説明】
【００４０】
１０、１０ａ、１０ｂ、１０ｃ    エプロン
１２    第１の垂下部
１４    第２の垂下部
１６    首孔
１８    開放部
２４    延長下敷
２６    首カバー部
２８    環状部
３２    着脱機構
【図１】
0003154584.tif 000003
【図２】
0003154584.tif 000004
【図３】
0003154584.tif 000005
【図４】
0003154584.tif 000006
【図５】
0003154584.tif 000007
【図６】
0003154584.tif 000008
【図７】
0003154584.tif 000009
【図８】
0003154584.tif 000010
【図９】
0003154584.tif 000011
【図１０】
0003154584.tif 000012